(57)【要約】【課題】客が支払請求の内容を十分に確認した後に決済に対応でき、支払請求に間違いがある場合に自動的に決済処理されることを抑制することが可能な決済装置を提供する。【解決手段】決済装置１０は、第１通信部１１と、第２通信部１２と、キャッシュレジスタ認証部１３と、支払処理部１４と、表示部１５と、を備え、キャッシュレジスタ認証部１３が第１通信部１１を介して無線により通信可能となったキャッシュレジスタ１１０を正当な装置であると認証した場合にその後の支払処理部１４による支払処理を有効化し、表示部１５にキャッシュレジスタ１１０から受信した支払請求情報を表示させ、支払処理部１４が第２通信部１２を介して無線により通信可能となった非接触ＩＣカードＭから得られる情報を用いて支払処理を実行する。【選択図】図２
2015060281.tif 000002
【特許請求の範囲】
【請求項１】
自機の外部に設置したキャッシュレジスタとの間で無線通信を行う第１の通信部と、
電子決済に係る情報を記憶した記憶媒体との間で無線通信を行う第２の通信部と、
前記キャッシュレジスタが正当な装置であるか否かの認証を行うためのキャッシュレジスタ認証部と、
前記キャッシュレジスタから受信した支払請求情報を表示する表示部と、
前記支払請求情報に基づき前記記憶媒体から得られる情報を用いて支払処理を実行するための支払処理部と、
を備え、
前記キャッシュレジスタ認証部が前記第１の通信部を介して通信可能となった前記キャッシュレジスタを正当な装置であると認証した場合にその後の前記支払処理部による支払処理を有効化し、前記表示部に前記支払請求情報を表示させ、前記支払処理部が前記第２の通信部を介して通信可能となった前記記憶媒体から得られる情報を用いて支払処理を実行することを特徴とする決済装置。
【請求項２】
前記第２の通信部が前記記憶媒体との間で無線通信を行うために用いるアンテナ部を車内に設けた、請求項１に記載の決済装置を搭載したことを特徴とする自動車。
【請求項３】
電子決済に係る情報を記憶した記憶媒体から得られる情報を用いて電子決済を遂行する決済装置の制御方法であって、
自機の外部に設置したキャッシュレジスタとの間で無線通信の接続を確立するステップと、
前記キャッシュレジスタが正当な装置であるか否かの認証を行うステップと、
前記キャッシュレジスタが正当な装置であると認証した場合にその後の支払処理を有効化するステップと、
前記キャッシュレジスタから受信した支払請求情報を表示するステップと、
前記記憶媒体との間で無線通信の接続を確立するステップと、
前記支払請求情報に基づき前記記憶媒体から得られる情報を用いて支払処理を実行するステップと、
を有することを特徴とする決済装置の制御方法。
【請求項４】
自機の外部に設置した請求項１に記載した決済装置との間で無線通信を行うための第３の通信部と、
前記決済装置が正当な装置であるか否かの認証を行うための決済装置認証部と、
前記決済装置に対して送信する支払請求情報を生成するための請求処理部と、
を備え、
前記決済装置認証部が前記第３の通信部を介して通信可能となった前記決済装置を正当な装置であると認証した場合に前記請求処理部により生成した前記支払請求情報を前記第３の通信部を介して前記決済装置に対して送信することを特徴とするキャッシュレジスタ。
【請求項５】
請求項１に記載した決済装置に対して支払請求情報を送信するキャッシュレジスタの制御方法であって、
自機の外部に設置した前記決済装置との間で無線通信の接続を確立するステップと、
前記決済装置が正当な装置であるか否かの認証を行うステップと、
前記決済装置が正当な装置であると認証した場合に支払請求情報を生成するステップと、
前記支払請求情報を前記決済装置に対して送信するステップと、
を有することを特徴とするキャッシュレジスタの制御方法。
【発明の詳細な説明】
【技術分野】
【０００１】
本発明は決済装置及びこれを搭載した自動車、決済装置の制御方法、キャッシュレジスタ並びにキャッシュレジスタの制御方法に関する。
【背景技術】
【０００２】
昨今、クレジットカードや電子マネーを利用した電子決済が広く普及している。さらに、電子マネーを利用するための情報を記憶したＩＣ（Integrated  Circuit）チップを搭載した携帯電話やスマートフォンも広く利用されている。このような電子決済に係る従来技術が特許文献１に開示されている。
【０００３】
特許文献１に記載された従来技術は自動車を利用する場合の決済サービスに係る技術である。この従来技術は、車載の仲介処理装置が携帯電話の非接触ＩＣカードから取得したクレジットカード番号やプリペイド残高などの決済に必要な情報を自動車の走行を開始する前に予めメモリに記憶しておく。そして、サービスの提供を受ける際、自動車の外部にある決済制御装置との間で料金の決済を自動的に行う。したがって、ユーザーが自動車の運転中に、携帯電話を操作することなくサービスの提供を受けることができるようにしている。
【先行技術文献】
【特許文献】
【０００４】
【特許文献１】特開２００７−２３５６５８号公報
【発明の概要】
【発明が解決しようとする課題】
【０００５】
しかしながら、上記従来技術は電子決済に必要な情報を商品やサービスの提供を受ける前に予めメモリに記憶させておく必要があり、料金の決済も自動的に行われるので、商品やサービスの提供を受ける者（以下単に「客」と称することがある）が複数の決済手段（電子決済に係る情報を記憶した記憶媒体、例えばクレジットカードや電子マネー対応カード、電子マネー対応携帯機器）を所持している場合にその選択ができない虞がある。さらに、商品やサービスの提供者側から提示された支払請求に間違いがある場合であっても自動的に決済処理されてしまう可能性があることも懸念される。
【０００６】
本発明は、上記の点に鑑みなされたものであり、客が支払請求の内容を十分に確認した後に複数の決済手段から任意に選択して決済に対応することができ、支払請求に間違いがある場合に自動的に決済処理されることを抑制することが可能な決済装置及びこれを搭載した自動車、決済装置の制御方法、キャッシュレジスタ並びにキャッシュレジスタの制御方法を提供することを目的とする。
【課題を解決するための手段】
【０００７】
上記の課題を解決するため、本発明の決済装置は、自機の外部に設置したキャッシュレジスタとの間で無線通信を行うための第１の通信部と、電子決済に係る情報を記憶した記憶媒体との間で無線通信を行うための第２の通信部と、前記キャッシュレジスタが正当な装置であるか否かの認証を行うためのキャッシュレジスタ認証部と、前記キャッシュレジスタから受信した支払請求情報を表示する表示部と、前記支払請求情報に基づき前記記憶媒体から得られる情報を用いて支払処理を実行するための支払処理部と、を備え、前記キャッシュレジスタ認証部が前記第１の通信部を介して通信可能となった前記キャッシュレジスタを正当な装置であると認証した場合にその後の前記支払処理部による支払処理を有効化し、前記表示部に前記支払請求情報を表示させ、前記支払処理部が前記第２の通信部を介して通信可能となった前記記憶媒体から得られる情報を用いて支払処理を実行することを特徴としている。
【０００８】
なお、ここで述べた「電子決済」には、クレジットカードや電子マネーを利用した決済が含まれるものとする。また、「記憶媒体」には、非接触ＩＣカード（Integrated  Circuit  card）、ＩＣチップを搭載した携帯機器（例えば携帯電話、スマートフォン、タブレット端末）が含まれるものとする。
【発明の効果】
【０００９】
本発明の構成によれば、客が支払請求の内容を十分に確認した後に決済に対応することができ、支払請求に間違いがある場合に自動的に決済処理されることを抑制することが可能な決済装置及びこれを搭載した自動車、決済装置の制御方法、キャッシュレジスタ並びにキャッシュレジスタの制御方法を提供することができる。
【図面の簡単な説明】
【００１０】
【図１】本発明の第１実施形態に係る決済装置及びキャッシュレジスタを用いた決済処理の説明図である。
【図２】本発明の第１実施形態に係る決済装置のブロック図である。
【図３】本発明の第１実施形態に係るキャッシュレジスタのブロック図である。
【図４】本発明の第１実施形態に係る決済装置における決済処理を示すフローチャートである。
【図５】本発明の第１実施形態に係るキャッシュレジスタにおける決済処理を示すフローチャートである。
【図６】本発明の第２実施形態に係る決済装置及びキャッシュレジスタを用いた決済処理の説明図である。
【発明を実施するための形態】
【００１１】
以下、本発明の実施形態を図１〜図６に基づき説明する。
【００１２】
＜第１実施形態＞
最初に、本発明の第１実施形態に係る決済装置及びキャッシュレジスタについて、図１〜図３を用いてその構成を説明する。図１は決済装置及びキャッシュレジスタを用いた決済処理の説明図、図２は決済装置のブロック図、図３はキャッシュレジスタのブロック図である。
【００１３】
図１に示すように、決済装置１０は自動車１に搭載される。また、キャッシュレジスタ１１０は例えば自動車に乗ったまま商品やサービスの提供を受けることができる所謂ドライブスルー型の店舗１０１に設置される。
【００１４】
自動車１に乗った客はドライブスルーレーンの入 口１０１ａで店舗１０１の外部に設置されたマイク１０２に向かって商品を注文し、自動車１を商品の受取場所１０１ｂまで移動させる。受取場所１０１ｂにおいて、決済装置１０とキャッシュレジスタ１１０との間で決済処理が完了すると、客は店舗１０１から商品を受け取ることができる。なお、誤作動を防止するなどの理由により、決済装置１０は自動車１の不図示のパーキングブレーキと連動し、パーキングブレーキが使用中のときのみ動作するようになっていることが望ましい。
【００１５】
決済装置１０は例えばＩＣカードリーダライタとして構成され、図１及び図２に示すように第１通信部１１、第１アンテナ１１Ａ、第２通信部１２、第２アンテナ１２Ａ、キャッシュレジスタ認証部１３、支払処理部１４、表示部１５及び制御部１６を備える。
【００１６】
第１通信部１１は無線により決済装置１０の外部に設置したキャッシュレジスタ１１０との間で通信を行い、様々な情報の授受を行うことができる。第１通信部１１には第１アンテナ１１Ａが電気的に接続される。なお、通信は暗号化処理されることが望ましい。
【００１７】
第１アンテナ１１Ａは例えば決済装置１０の本体部１０ａから離隔した自動車１の車内に設置される。第１アンテナ１１Ａは後述するキャッシュレジスタ１１０のアンテナ１１１Ａとの間で通信を実行し易い位置に配置される。
【００１８】
第２通信部１２は無線により客が所持する電子決済に係る情報を記憶した記憶媒体である非接触ＩＣカードＭとの間で通信を行い、様々な情報の授受を行うことができる。第２通信部１２には第２アンテナ１２Ａが電気的に接続される。なお、通信は暗号化処理されることが望ましい。また、電子決済に係る情報を記憶した記憶媒体としては非接触ＩＣカードに限定されるわけではなく、例えば電子マネー対応の携帯機器などを用いても良い。
【００１９】
第２アンテナ１２Ａは例えば決済装置１０の本体部１０ａに内蔵されるが、本体部１０ａから離隔した自動車１の車内に設置しても良い。第２アンテナ１２Ａは客がかざす非接触ＩＣカードＭとの間で通信を実行し易い位置に配置される。
【００２０】
キャッシュレジスタ認証部１３はキャッシュレジスタ１１０が正当な装置であるか否かの認証を行う。このとき、例えば決済装置１０とキャッシュレジスタ１１０との間でそれら機器自体のＩＤを交換する。キャッシュレジスタ認証部１３がキャッシュレジスタ１１０を正当な装置であると認証することにより、決済の当事者ではない第三者に重要な情報等を奪われることを防止する。
【００２１】
支払処理部１４はキャッシュレジスタ１１０から受信した支払請求情報に基づき記憶媒体である非接触ＩＣカードＭから得られる情報を用いて支払処理を実行する。非接触ＩＣカードＭが電子マネーに対応したものである場合、商品の金額に対応する金銭価値が減額される。決済装置１０側で支払処理が完了したことは、支払情報として第１通信部１１を介してキャッシュレジスタ１１０に送信される。
【００２２】
表示部１５は液晶ディスプレイや有機ＥＬ（Electro-Luminescence）ディスプレイ、７セグメントディスプレイ、ＬＥＤ（Light Emitting Diode）などで構成される。表示部１５は決済装置１０とキャッシュレジスタ１１０との間の決済処理において、キャッシュレジスタ１１０から受信した支払請求情報、すなわち商品の金額などを表示する。なお、商品の金額を音声で読み上げることにしても良いし、表示と音声とを併用しても良い。また、例えばキャッシュレジスタ１１０との通信状態を色で示すＬＥＤを設けても良い。
【００２３】
制御部１６は不図示の演算部やその他の電子部品で構成され、決済装置１０に組み込まれた構成要素の動作を制御する。例えば、制御部１６は不図示の記憶部等に記憶、入力されたプログラム、データ、ファイルに基づき第１通信部１１、第２通信部１２、キャッシュレジスタ認証部１３、支払処理部１４及び表示部１５を制御して各種処理を実行する。
【００２４】
上記構成の決済装置１０は第１通信部１１を介してキャッシュレジスタ１１０との間で通信の接続を確立する。そして、決済装置１０は、キャッシュレジスタ認証部１３がキャッシュレジスタ１１０を正当な装置であると認証した場合にその後の支払処理部１４による支払処理を有効化し、表示部１５にキャッシュレジスタ１１０から受信した支払請求情報を表示させる。一方、決済装置１０は第２通信部１２を介して非接触ＩＣカードＭとの間で通信接続を確立する。そして、支払処理部１４が非接触ＩＣカードＭから得られる情報を用いて支払処理を実行する。
【００２５】
キャッシュレジスタ１１０は、図１及び図３に示すように通信部１１１（第３の通信部）、アンテナ１１１Ａ、入力部１１２、決済装置認証部１１３、請求処理部１１４、表示部１１５、制御部１１６及び計算部１１７を備える。
【００２６】
通信部１１１は無線によりキャッシュレジスタ１１０の外部に設置した決済装置１０との間で通信を行い、様々な情報の授受を行うことができる。通信部１１１にはアンテナ１１１Ａが電気的に接続される。なお、通信は暗号化処理されることが望ましい。
【００２７】
アンテナ１１１Ａは例えばキャッシュレジスタ１１０の本体部１１０ａから離隔した店舗１０１の外部であって、受取場所１０１ｂの上方等に設置される。アンテナ１１１Ａは自動車１、すなわち決済装置１０のアンテナ１１Ａとの間で通信を実行し易い位置に配置される。さらに、アンテナ１１１Ａは自動車１台分程度の範囲に対して自動車と無線通信が可能となるように設置される。
【００２８】
入力部１１２は文字や数値などの入力、メニューやその他選択肢の選択、処理の実行やキャンセルなどの入力を店舗１０１の店員が行うための構成要素である。キャッシュレジスタ１１０の制御部１１６は店員による入力部１１２の操作に基づき各種処理を実行する。なお、入力部１１２は機械式に動作するキーを含むほか、表示部１１５にタッチパネルを構成しても良い。
【００２９】
決済装置認証部１１３は決済装置１０が正当な装置であるか否かの認証を行う。前述同様、このとき、例えばキャッシュレジスタ１１０と決済装置１０との間でそれら機器自体のＩＤを交換する。
【００３０】
請求処理部１１４は決済装置１０に対して送信する支払請求情報を生成する。ここで、支払請求情報は自動車１に乗った客から受け付けた注文に基づき店員により操作された入力部１１２からの情報を得て計算部１１７で計算された請求金額に基づき生成される。支払請求情報は通信部１１１を介して決済装置１０に送信される。
【００３１】
表示部１１５は液晶ディスプレイや有機ＥＬ（Electro-Luminescence）ディスプレイ、７セグメントディスプレイ、ＬＥＤ（Light Emitting Diode）などで構成される。表示部１５はキャッシュレジスタ１１０と決済装置１０との間の決済処理において、入力部１１２で入力された注文商品や決済装置１０に送信する支払請求情報、決済装置１０から受信した支払処理結果などを表示する。また、例えば決済装置１０との通信状態を色で示すＬＥＤを設けても良い。
【００３２】
制御部１１６は不図示の演算部やその他の電子部品で構成され、キャッシュレジスタ１１０に組み込まれた構成要素の動作を制御する。例えば、制御部１１６は不図示の記憶部等に記憶、入力されたプログラム、データ、ファイルに基づき通信部１１１、入力部１１２、決済装置認証部１１３、請求処理部１１４、表示部１１５及び計算部１１７を制御して各種処理を実行する。
【００３３】
計算部１１７は入力部１１２で入力された注文商品に対して請求金額を計算する。この請求金額に基づき、請求処理部１１４が支払請求情報を生成する。
【００３４】
上記構成のキャッシュレジスタ１１０は通信部１１１を介して決済装置１０との間で通信の接続を確立する。そして、キャッシュレジスタ１１０は、決済装置認証部１１３が決済装置１０を正当な装置であると認証した場合に商品の注文に基づき請求処理部１１４に支払請求情報を生成させる。さらに、キャッシュレジスタ１１０は支払請求情報を決済装置１０に対して送信する。
【００３５】
続いて、上記構成の決済装置１０における決済処理について、図４に示すフローに沿って説明する。図４は決済装置１０における決済処理を示すフローチャートである。さらに、上記構成のキャッシュレジスタ１１０における決済処理について、図５に示すフローに沿って説明する。図５はキャッシュレジスタ１１０における決済処理を示すフローチャートである。
【００３６】
決済装置１０を搭載した自動車１が商品の受取場所１０１ｂに移動すると（図４のスタート）、決済装置１０の制御部１６は第１通信部１１及び第１アンテナ１１Ａを介してキャッシュレジスタ１１０との間で無線通信の接続を確立する（ステップ＃１０１）。キャッシュレジスタ１１０との間で無線通信の接続が確立されると、表示部１５がその旨を表示する。
【００３７】
次に、制御部１６はキャッシュレジスタ認証部１３にキャッシュレジスタ１１０の認証処理を実行させる（ステップ＃１０２）。キャッシュレジスタ認証部１３はキャッシュレジスタ１１０との間でＩＤを交換するなどして、キャッシュレジスタ１１０が正当な装置であるか否かの認証を行う。なお、この段階では、非接触ＩＣカードＭに記憶された電子決済に係る情報がキャッシュレジスタ１１０に送信されることはない。またここでは、キャッシュレジスタ１１０が正当な装置であると認められたものとする。
【００３８】
次に、制御部１６はキャッシュレジスタ１１０から支払請求情報を受信したか否かを判別する（ステップ＃１０３）。そして、キャッシュレジスタ１１０から支払請求情報を受信するまで待機する（ステップ＃１０３のＮｏ）。
【００３９】
キャッシュレジスタ１１０から支払請求情報を受信した場合（ステップ＃１０３のＹｅｓ）、制御部１６は表示部１５にキャッシュレジスタ１１０から受信した支払請求情報、すなわち商品の金額を表示させる（ステップ＃１０４）。これにより、商品の提供を受ける客は注文した商品の金額が正しいことを確認することができる。
【００４０】
次に、制御部１６は第２通信部１２及び第２アンテナ１２Ａを介して非接触ＩＣカードＭとの間で通信の接続を確立させ、第２通信部１２が非接触ＩＣカードＭを検出したか否かを判別する（ステップ＃１０５）。このとき、客は第２アンテナ１２Ａに対して非接触ＩＣカードＭをかざす。そして、制御部１６は第２通信部１２が非接触ＩＣカードＭを検出するまで待機する（ステップ＃１０５のＮｏ）。
【００４１】
第２通信部１２が非接触ＩＣカードＭを検出した場合（ステップ＃１０５のＹｅｓ）、制御部１６は支払処理部１４にキャッシュレジスタ１１０から受信した支払請求情報に基づき支払処理を実行させる（ステップ＃１０６）。接触ＩＣカードＭが電子マネーに対応したものである場合、商品の金額に対応する金銭価値が減額される。
【００４２】
次に、制御部１６はキャッシュレジスタ１１０に支払情報を送信し（ステップ＃１０７）、決済装置１０における決済処理を終了する（図４のエンド）。
【００４３】
一方、キャッシュレジスタ１１０においては（図５のスタート）、制御部１１６が通信部１１１及びアンテナ１１１Ａを介して決済装置１０から通信接続要求を受信したか否かを判別する（ステップ＃２０１）。そして、決済装置１０から通信接続要求を受信するまで待機する（ステップ＃２０１のＮｏ）。
【００４４】
決済装置１０を搭載した自動車１が商品の受取場所１０１ｂに移動して決済装置１０から通信接続要求を受信すると（ステップ＃２０１のＹｅｓ）、制御部１１６は決済装置認証部１１３に決済装置１０の認証処理を実行させる（ステップ＃２０２）。決済装置認証部１１３は決済装置１０との間でＩＤを交換するなどして、決済装置１０が正当な装置であるか否かの認証を行う。なおここでは、決済装置１０が正当な装置であると認められたものとする。
【００４５】
次に、キャッシュレジスタ１１０は入力部１１２から店員による注文の入力を受け付ける（ステップ＃２０３）。入力部１１２に対する注文の入力方法は、店員が直接入力する方法のほか、商品に対応するバーコードを読み込むなどの方法を用いることができる。
【００４６】
そして、制御部１１６は計算部１１７に注文に基づき請求金額を計算させ、請求処理部１１４に請求金額に基づき支払請求情報を生成させる（ステップ＃２０４）。さらに、制御部１１６は請求処理部１１４が生成した支払請求情報を、通信部１１１を介して決済装置１０に送信する（ステップ＃２０５）。
【００４７】
次に、制御部１１６は決済装置１０から支払情報を受信したか否かを判別する（ステップ＃２０６）。そして、決済装置１０から支払情報を受信するまで待機する（ステップ＃２０６のＮｏ）。
【００４８】
決済装置１０から支払情報を受信した場合（ステップ＃２０６のＹｅｓ）、制御部１１６は決済装置１０から受信した支払情報に基づき支払処理を完了させ（ステップ＃２０７）、キャッシュレジスタ１１０における決済処理を終了する（図５のエンド）。
【００４９】
なお、商品の代金の支払に使用できる決済手段（例えばクレジットカードや電子マネー対応カード、電子マネー対応携帯機器）の種類は店舗によって異なる。複数の決済手段を利用できる店舗の場合、客がどの決済手段を利用するかを決済装置１０とキャッシュレジスタ１１０とに認識させる必要がある。この認識方法としては、客が店員と話をして店員がキャッシュレジスタ１１０に入力する方法や、商品の金額と一緒に利用可能な決済手段を決済装置１０に表示させ、客が選択した決済手段に係る情報を決済装置１０からキャッシュレジスタ１１０に送信させる方法などが考えられる。
【００５０】
上記のように、本実施形態に係る決済装置１０は、第１通信部１１と、第２通信部１２と、キャッシュレジスタ認証部１３と、支払処理部１４と、表示部１５と、を備え、キャッシュレジスタ認証部１３が第１通信部１１を介して無線により通信可能となったキャッシュレジスタ１１０を正当な装置であると認証した場合にその後の支払処理部１４による支払処理を有効化し、表示部１５に支払請求情報を表示させ、支払処理部１４が第２通信部１２を介して無線により通信可能となった非接触ＩＣカードＭから得られる情報を用いて支払処理を実行する。
【００５１】
さらに、本実施形態に係る決済装置１０の制御方法として、キャッシュレジスタ１１０との間で無線通信の接続を確立するステップと、キャッシュレジスタ１１０が正当な装置であるか否かの認証を行うステップと、キャッシュレジスタ１１０が正当な装置であると認証した場合にその後の支払処理を有効化するステップと、キャッシュレジスタ１１０から受信した支払請求情報を表示するステップと、非接触ＩＣカードＭとの間で無線通信の接続を確立するステップと、支払請求情報に基づき非接触ＩＣカードＭから得られる情報を用いて支払処理を実行するステップと、を有する。
【００５２】
これらの構成によれば、商品の提供を受ける客はキャッシュレジスタ１１０から受信した支払請求情報を確認した後、客が決済装置１０に向けてかざした決済手段、すなわち電子決済が可能な非接触ＩＣカードＭで決済に対応することができる。したがって、例えば支払請求に間違いがある場合には店員に対してそれを正すことができ、間違いがあるまま自動的に決済処理されることを抑制することが可能である。さらに、客は決済手段としての非接触ＩＣカードや電子マネー対応携帯機器等を複数所持している場合、支払請求情報を確認した後にそれらのうち１つを任意に選択して決済に対応することができる。
【００５３】
また、本実施形態に係る自動車１は、第２通信部１２が非接触ＩＣカードＭとの間で無線通信を行うために用いる第２アンテナ１２Ａを車内に設けた決済装置１０を搭載する。この構成によれば、キャッシュレジスタ１１０が設置された例えばドライブスルー型の店舗１０１を利用する際に、決済装置１０とキャッシュレジスタ１１０との間で決済処理を遂行させることができる。第２アンテナ１２Ａを車内に設けたので、非接触ＩＣカードＭを車外に落としたり、雨に濡らしてしまったりすることを防止することが可能である。
【００５４】
また、本実施形態に係るキャッシュレジスタ１１０は、通信部１１１と、決済装置認証部１１３と、請求処理部１１４と、を備え、決済装置認証部１１３が通信部１１１を介して無線により通信可能となった決済装置１０を正当な装置であると認証した場合に請求処理部１１４により生成した支払請求情報を決済装置１０に対して送信する。
【００５５】
さらに、本実施形態に係るキャッシュレジスタ１１０の制御方法として、決済装置１０との間で無線通信の接続を確立するステップと、決済装置１０が正当な装置であるか否かの認証を行うステップと、決済装置１０が正当な装置であると認証した場合に支払請求情報を生成するステップと、支払請求情報を決済装置１０に対して送信するステップと、を有する。
【００５６】
これらの構成によれば、キャッシュレジスタ１１０と決済装置１０との間の不正な決済処理を抑制することができる。そして、決済装置１０側において、決済装置１０に対して送信した支払請求情報を確認させた後、決済に対応させることが可能である。
【００５７】
＜第２実施形態＞
次に、本発明の第２実施形態に係る決済装置及びキャッシュレジスタについて、図６を用いて説明する。図６は決済装置及びキャッシュレジスタを用いた決済処理の説明図である。なお、この実施形態の基本的な構成は先に説明した第１実施形態と同じであるので、第１実施形態と共通する構成要素には前と同じ符号を付し、図面の記載及びその説明を省略するものとする。
【００５８】
第２実施形態では、図６に示すようにキャッシュレジスタである料金精算機２１０がドライブスルー型の店舗の他の例である時間貸しの有料駐車場２０１に設置される。有料駐車場２０１では、精算業務の無人化のために料金精算機２１０が出口２０１ａに配置される。
【００５９】
自動車１に乗った客は有料駐車場２０１の不図示の入口で発券機から駐車券を受け取り、空いている駐車スペースに駐車する。出庫する際、出口２０１ａにおいて駐車券を料金精算機２１０に挿入すると駐車場の利用時間が計算されて利用料金が確定する。料金精算機２１０と車載した決済装置１０との間で決済処理が完了するとゲートバー２０２が上がり、客は有料駐車場２０１から自動車１を出すことができる。
【００６０】
料金精算機２１０のアンテナ２１１Ａは例えば料金精算機２１０の本体部２１０ａから離隔した出口２０１ａの上方等に設置される。アンテナ２１１Ａは自動車１、すなわち決済装置１０のアンテナ１１Ａとの間で通信を実行し易い位置に配置される。さらに、アンテナ２１１Ａは自動車１台分程度の範囲に対して自動車と無線通信が可能となるように設置される。
【００６１】
ここで、有料駐車場の構成によっては、入口の停車位置と出口の停車位置との距離が比較的近くなることがある。また、出口に複数の料金精算機を設置している場合、出口の複数の停車位置各々の間の距離が比較的近くなることがある。これらの場合、料金精算機のアンテナは複数の自動車の決済装置を認識してしまう虞があるので、指向性の強さを調整可能な機能を有していることが望ましい。
【００６２】
例えば、有料駐車場の出口で料金精算機に駐車券が挿入されたときには料金精算機のアンテナの指向性を弱めに設定しておく。そして、料金精算機が複数の決済装置を認識した場合、料金精算機のアンテナの指向性を徐々に強める。これにより、料金精算機は、実際に支払処理をしようとしている自動車の決済装置のみと無線通信できるようになり、その決済装置のみを認識する。したがって、実際に支払処理をしようとしている自動車の決済装置のみに利用料金を表示して決済処理を遂行することが可能になる。
【００６３】
上記第２実施形態においても、第１実施形態と同様に、駐車サービスの提供を受ける客は料金精算機２１０から受信した支払請求情報を確認した後、客が決済装置１０に向けてかざした非接触ＩＣカードで決済に対応することができる。さらに、客は決済手段としての非接触ＩＣカードや電子マネー対応携帯機器等を複数所持している場合、支払請求情報を確認した後にそれらのうち１つを任意に選択して決済に対応することができる。
【００６４】
非接触ＩＣカードや電子マネー対応携帯機器等を料金精算機２１０自体に対して直接かざすなどして電子決済が利用可能な場合もあるが、本実施形態によれば、非接触ＩＣカードＭや電子マネー対応携帯機器等を車外に落としたり、雨に濡らしてしまったりすることを防止することが可能である。
【００６５】
そして、本発明の上記実施形態の構成によれば、客が支払請求の内容を十分に確認した後に決済に対応することができ、支払請求に間違いがある場合に自動的に決済処理されることを抑制することが可能な決済装置１０及びこれを搭載した自動車１、決済装置１０の制御方法、キャッシュレジスタ１１０（料金精算機２１０）並びにキャッシュレジスタ１１０（料金精算機２１０）の制御方法を提供することができる。
【００６６】
以上、本発明の実施形態につき説明したが、本発明の範囲はこれに限定されるものではなく、発明の主旨を逸脱しない範囲で種々の変更を加えて実施することができる。
【００６７】
例えば、上記実施形態では、キャッシュレジスタがドライブスルー型の店舗１０１または時間貸しの有料駐車場２０１に設置されることとして説明したが、本発明の適用範囲はそれらに限定されるわけではない。キャッシュレジスタをドライブスルー型の店舗や時間貸しの有料駐車場以外の場所に設置しても良い。
【産業上の利用可能性】
【００６８】
本発明は決済装置及びこれを搭載した自動車、決済装置の制御方法、キャッシュレジスタ並びにキャッシュレジスタの制御方法において利用可能である。
【符号の説明】
【００６９】
１    自動車
１０    決済装置
１１    第１通信部（第１の通信部）
１２    第２通信部（第２の通信部）
１３    キャッシュレジスタ認証部
１４    支払処理部
１５    表示部
１６    制御部
１０１    店舗
１１０    キャッシュレジスタ
１１１    通信部（第３の通信部）
１１２    入力部
１１３    決済装置認証部
１１４    請求処理部
１１５    表示部
１１６    制御部
２０１    有料駐車場
２１０    料金精算機（キャッシュレジスタ）
【図１】
2015060281.tif 000003
【図２】
2015060281.tif 000004
【図３】
2015060281.tif 000005
【図４】
2015060281.tif 000006
【図５】
2015060281.tif 000007
【図６】
2015060281.tif 000008